(57)【要約】【課題】不使用時にかさばらず、コンパクトにして、ポケットやバッグ等に収納することができるキャップを提供する。【解決手段】ヒサシ部１の芯材が低発泡のＰＥ板から成る。ヒサシ部１は、加熱及びプレスにて弯曲面状に形成されると共に急冷にて形状保持されている。【選択図】  図１
2004218120.tif 000002
【特許請求の範囲】
【請求項１】
ヒサシ部（１）の芯材（２）が低発泡のＰＥ板（３）から成り、かつ、該ヒサシ部（１）は、加熱及びプレスにて弯曲面状に形成されると共に急冷にて形状保持されていることを特徴とするキャップ。
【請求項２】
低発泡の平板状のＰＥ板（３）を芯材（２）として布体（４）で包囲したヒサシ中間体（５）を作り、該ヒサシ中間体（５）をキャップ本体（６）と一体化した中間品（７）を、蒸気加熱し、次に、プレス工程にてヒサシ部（１）に弯曲面（８）を形成し、直ちに急冷することを特徴とするキャップの製法。
【発明の詳細な説明】
【０００１】
【発明の属する技術分野】
本発明は、キャップ及びその製法に関する。
【０００２】
【従来の技術】
従来のキャップは、ヒサシ部の芯材が、ポリプロピレンから成る（例えば、特許文献１参照）。
【０００３】
【特許文献１】
登録実用新案第３０８５４１９号公報
【０００４】
【発明が解決しようとする課題】
しかし、ヒサシ部が固いため、不使用時にかさばっていた。
そこで、本発明は、不使用時にかさばらず、コンパクトにして、ポケットやバッグ等に収納することができるキャップ及びその製法を提供することを目的とする。また、流通過程に於てコンパクトに包装することができるキャップ及びその製法を提供することを他の目的とする。また、ヒサシ部が美しい弯曲面を有するキャップの製法を提供することを他の目的とする。
【０００５】
【課題を解決するための手段】
上述の目的を達成するために、本発明に係るキャップは、ヒサシ部の芯材が低発泡のＰＥ板から成り、かつ、該ヒサシ部は、加熱及びプレスにて弯曲面状に形成されると共に急冷にて形状保持されているものである。
【０００６】
また、本発明に係るキャップの製法は、低発泡の平板状のＰＥ板を芯材として布体で包囲したヒサシ中間体を作り、該ヒサシ中間体をキャップ本体と一体化した中間品を、蒸気加熱し、次に、プレス工程にてヒサシ部に弯曲面を形成し、直ちに急冷する方法である。
【０００７】
【発明の実施の形態】
以下、実施の形態を示す図面に基づき、本発明を詳説する。
【０００８】
図１・図２は、本発明の実施の一形態を示す。図１は、頭（図示省略）にかぶる使用時の状態を示す。このキャップは、不使用時には、図２に示すように、コンパクトにまるめ込む（折曲げる）ことができる。そして、ポケットやバッグ等（図示省略）に収納でき、また、箱体等に流通過程でコンパクトに包装することができる。
【０００９】
キャップは、ヒサシ部１の芯材２（図３参照）が低発泡のＰＥ板３（ポリエチレン板）から成る。すなわち、ＰＥ板３の発泡倍率Ｅが、３倍≦Ｅ≦７倍に設定される。発泡倍率Ｅが、この範囲にある場合、芯材２が適度な強度を有するとともに、容易にキャップをコンパクトに弯曲変形させることができる。
【００１０】
発泡倍率Ｅが、Ｅ＜３倍のときは、ヒサシ部１が固くなり、キャップをコンパクトに弯曲変形することができない。また、発泡倍率Ｅが、７倍＜Ｅのときは、使用にて弯曲変形を繰返すうちに、ヒサシ部１の形状がくずれる虞れがある。ヒサシ部１は、加熱及びプレスにて弯曲面状に形成されると共に急冷にて形状保持されている。
【００１１】
次に、キャップの製法について説明する。
図３〜図６に示すように、低発泡の平板状のＰＥ板３を芯材２として布体４で包囲したヒサシ中間体５を作る。具体的には、図３・図４に示すように、上布４ａと下布４ｂを相互に縫製Ｓ１  にて連結する。この上布４ａと下布４ｂとの間に、芯材２を差込む。その後、図５・図６に示すように、上布４ａと下布４ｂと芯材２を、相互に縫製Ｓ２  にて連結する。
【００１２】
次に、図７に示すように、ヒサシ中間体５を略半球殻状のキャップ本体６と縫製Ｓ３  により一体化して中間品７を作成する。このとき、ヒサシ中間体５は、ヒサシ部１となる。なお、この状態では、ヒサシ部１は、平坦状（平面状）とされている。
【００１３】
その後、図８に示すように、蒸気加熱工程Ａにて、中間品７を蒸気加熱する。１３は蒸気加熱室を示す。１４はノズルを示す。ノズル１４から高温のスチームＪが噴出される。蒸気加熱温度Ｔは、９０℃≦Ｔ≦  １１０℃に設定される。蒸気加熱温度Ｔが、この範囲にある場合、次のプレス工程Ｂで、十分にプレスの効果を得ることができるとともに、中間品７を構成する材料に損傷を与えない。
【００１４】
蒸気加熱温度Ｔが、Ｔ＜９０℃の場合、次のプレス工程Ｂで、十分にプレスの効果を得ることができない。すなわち、ヒサシ部１を十分に弯曲成形することができない。また、蒸気加熱温度Ｔが、  １１０℃＜Ｔの場合、中間品７を構成する材料が傷む虞れがあり、また、熱エネルギーの無駄使いとなる。
【００１５】
次に、図９に示すように、プレス工程Ｂにてヒサシ部１に弯曲面８を形成する。具体的には、下型９の半球状の凹部１０の開口部にヒサシ部１を載置し、上型１１を降下させて、下型９と上型１１にて、ヒサシ部１を押圧して弯曲面８を形成する。ヒサシ部１の断面は、２点鎖線のように略円弧状とされる。
【００１６】
プレス時間ｔは、３ｓｅｃ  ≦ｔ≦１０ｓｅｃ  に設定される。プレス時間ｔが、この範囲にある場合、十分にプレスすることができるとともに、次に急冷工程Ｃで、十分に急冷の効果を得ることができる。
【００１７】
プレス時間ｔが、ｔ＜３ｓｅｃ  の場合、十分に弯曲に形成することができない。また、プレス時間ｔが、１０ｓｅｃ  ＜ｔの場合、プレス中に温度が低下するので、次の急冷工程Ｃで、十分に急冷の効果を得ることができない。
【００１８】
その後、図１０に示すように、急冷工程Ｃにて、中間品７に、ノズル１２から噴出するエアーＫを吹付けることにより、直ちに急冷する。中間品７は急冷されて、ヒサシ部１が弯曲面８を形状保持した状態で、キャップが完成する。
【００１９】
なお、本発明は、設計変更可能であって、例えば、プレス工程Ｂに於て、下型９をヒーター等にて高い温度に常時保つのも良い。
【００２０】
【発明の効果】
本発明は、上述の如く構成されるので、次に記載する効果を奏する。
【００２１】
（請求項１によれば）不使用時にかさばらず、コンパクトにして、ポケットやバッグ等に収納することができる。また、販売展示用等にコンパクトに包装することができる。
【００２２】
（請求項２によれば）不使用時にかさばらず、コンパクトにして、ポケットやバッグ等に収納することができるキャップを製造することができる。また、コンパクトに包装可能なキャップを製造することができる。また、ヒサシ部１が美しい弯曲面８を有するキャップを製造することができる。
【図面の簡単な説明】
【図１】本発明の実施の一形態を示す斜視図である。
【図２】まるめ込んだ状態を示す斜視図である。
【図３】説明用斜視図である。
【図４】説明用断面側面図である。
【図５】ヒサシ中間体の斜視図である。
【図６】ヒサシ中間体の断面側面図である。
【図７】中間品の斜視図である。
【図８】製造方法の一例の説明用正面図である。
【図９】プレス工程の説明用断面正面図である。
【図１０】急冷工程の説明用斜視図である。
【符号の説明】
１  ヒサシ部
２  芯材
３  ＰＥ板
４  布体
５  ヒサシ中間体
６  キャップ本体
７  中間品
８  弯曲面
【図１】
2004218120.tif 000003
【図２】
2004218120.tif 000004
【図３】
2004218120.tif 000005
【図４】
2004218120.tif 000006
【図５】
2004218120.tif 000007
【図６】
2004218120.tif 000008
【図７】
2004218120.tif 000009
【図８】
2004218120.tif 000010
【図９】
2004218120.tif 000011
【図１０】
2004218120.tif 000012